(57)【特許請求の範囲】
【請求項１】
容器体口頸部３へ嵌合させたキャップ11の頂壁12一部を開口して該開口周縁から、下部内に吸込み弁18を、かつ上部内に吐出弁21を、それぞれ有する上端開口のノズル筒39を起立すると共に、上記両弁中間のノズル筒部分からは、該ノズル筒部内と連通させてシリンダ35を前方突出し、該シリンダ内から、脚筒43後端部に筒状ピストン42を付設し、かつ脚筒43前端面を閉塞すると共に前面を押圧用平面部とした作動部材41を、前方付勢させて、かつシリンダ前端部に筒状ピストン42の抜出し防止手段を設けて前方突出させ、又容器体内には吸込み弁18への容器体内液体移送手段を設けたことを特徴とする液体注出容器。
【請求項２】
ノズル筒３９を、キャップ頂壁１２の開口周縁から起立する内筒１５と該内筒外面へ凹凸の係合手段で抜出し不能に、かつ内筒１５よりも長く設けた上記シリンダ３５付きの外筒３１とで形成して、吸込み弁１８は内筒下部に設けた玉弁１７で、吐出弁２１は、その弁体２０を、棒部２２上端へ外向きフランジ状に弁板２３を付設すると共に棒部上端面から複数の弾性片２４を起立してこれ等弾性片上端を水平な押えリング２５下面へ付設して形成し、上記弁板２３を内筒１５上部内面の上向き段部上面へ、又内筒上端と押えリング２５とを外筒３１上部内面の下向き段部下面へそれぞれ係合させて、上記上向き段部と弁板２３とで形成したことを特徴とする、請求項１記載の液体注出容器。
【請求項３】
シリンダ３５後端部が囲むノズル筒前壁部分の中央部から、ノズル筒中間部と連通させて、かつシリンダ３５と同軸にガイド管３６を前方突出し、作動部材４１の筒状ピストン４２はガイド管３６とシリンダ３５間に、かつ脚筒４３はガイド管３６外面へ、それぞれ摺動可能に嵌合させたことを特徴とする、請求項１又は２記載の液体注出容器。
【請求項４】
ノズル筒３９をキャップ頂壁１２の後部から起立すると共に、シリンダ３５付きキャップ１１の外面へカバー筒５１を、該カバー筒の頂壁５２からノズル筒３９上端部を上方へ、又カバー筒の前壁５３から作動部材４１の前部を前方へ、それぞれ突出させて嵌合したことを特徴とする、請求項１、２、又は３記載の液体注出容器。
【発明の詳細な説明】
【０００１】
【発明の属する技術分野】
本発明はポンプ式の液体注出容器に関する。
【０００２】
【従来の技術】
例えば実開平７‐４０５０７  号公報が示すように、容器体上部にポンプ装置を設けてそのポンプ操作により容器体内液体をノズルから注出するよう設けた容器が広く知られている。
【０００３】
【発明が解決しようとする課題】
上記従来の容器は、通常ステム下端に筒状ピストンを付設し、かつステム上端にノズルを付設した押下げヘッドを嵌合させた作動部材を、容器体内へ垂下したシリンダ内から上方付勢させて起立し、その押下げヘッドから横向きに突出させたノズルから液体を注出できるよう設けているが、容器使用場所によっては、例えば天井壁面へ液状洗剤を噴出させたい場合のように容器体上方へノズルが突出していると便利な場合がある。
【０００４】
しかし従来はノズルが横向きであることを前提としてポンプ操作するよう設けていたから、ノズルを上向きに突出させるとそのポンプ操作が行い難くなる欠点があった。
【０００５】
請求項１記載の容器は、ノズルを上向きに起立させてその上下に吐出弁と吸込み弁とを設けると共に、それ等両弁中間部分からノズル内と連通させてシリンダを前方突出し、又そのシリンダ内から前方付勢させて作動部材を前方突出させ、該作動部材を後方へ押込み又弾性復帰させることで容器体内液体をシリンダ内へ吸上げ、又ノズル上端から上方へ注出できるよう設けたものである。
請求項２記載の容器は、上記請求項１記載容器が有する解決課題のほかに、該容器の弁構造を簡略化するものである。
請求項３記載の容器は、請求項１又は２記載の容器が有する課題のほか、シリンダに対する作動部材の作動を確実にするものである。
請求項４記載の容器は、請求項１、２又は３記載容器が有する課題のほか、シリンダ付きキャップ外面へカバー筒を嵌合させて、容器の使用上便利であるよう設けたものである。
【０００６】
【課題を解決するための手段】
第１の手段として容器体口頸部３へ嵌合させたキャップ11の頂壁12一部を開口して該開口周縁から、下部内に吸込み弁18を、かつ上部内に吐出弁21を、それぞれ有する上端開口のノズル筒39を起立すると共に、上記両弁中間のノズル筒部分からは、該ノズル筒部内と連通させてシリンダ35を前方突出し、該シリンダ内から、脚筒43後端部に筒状ピストン42を付設し、かつ脚筒43前端面を閉塞すると共に前面を押圧用平面部とした作動部材41を、前方付勢させて、かつシリンダ前端部に筒状ピストン42の抜出し防止手段を設けて前方突出させ、又容器体内には吸込み弁18への容器体内液体移送手段を設けた。
【０００７】
第２の手段として、上記第１の手段を有すると共にノズル筒３９を、キャップ頂壁１２の開口周縁から起立する内筒１５と該内筒外面へ凹凸の係合手段で抜出し不能に、かつ内筒１５よりも長く設けた上記シリンダ３５付きの外筒３１とで形成して、吸込み弁１８は内筒下部に設けた玉弁１７で、吐出弁２１は、その弁体２０を、棒部２２上端へ外向きフランジ状に弁板２３を付設すると共に棒部上端面から複数の弾性片２４を起立してこれ等弾性片上端を水平な押えリング２５下面へ付設して形成し、上記弁板２３を内筒１５上部内面の上向き段部上面へ、又内筒上端と押えリング２５とを外筒３１上部内面の下向き段部下面へそれぞれ係合させて、上記上向き段部と弁板２３とで形成した。
【０００８】
第３の手段として、上記第１、又は第２の手段を有すると共にシリンダ３５後端部が囲むノズル筒前壁部分の中央部から、ノズル筒中間部と連通させて、かつシリンダ３５と同軸にガイド管３６を前方突出し、作動部材４１の筒状ピストン４２はガイド管３６とシリンダ３５間に、かつ脚筒４３はガイド管３６外面へ、それぞれ摺動可能に嵌合させた。
【０００９】
第４の手段として、上記第１、第２、又は第３の手段を有すると共にノズル筒３９をキャップ頂壁１２の後部から起立すると共に、シリンダ３５付きキャップ１１の外面へカバー筒５１を、該カバー筒の頂壁５２からノズル筒３９上端部を上方へ、又カバー筒の前壁５３から作動部材４１の前部を前方へ、それぞれ突出させて嵌合した。
【００１０】
【発明の実施の形態】
１は容器体で、下端面開口の胴部２下端から肩部を介して口頸部３を起立する。該口頸部外面には螺条又は係合突条４を周設する。
上記容器体胴部２の下部内へは容器体内負圧化によって上昇可能に、摺動底壁５が嵌合させてあり、又胴部２の下端には上げ底状の底板６を有する底蓋７を、凹凸の係合手段８により抜出し不能として嵌合させている。その底板６中心にはやや大きく排水孔９を穿設し、底板６は中心を下降するテーパ状となし、かつ上面に複数のリブ１０を放射状に付設している。尚該底蓋７は、胴部下端面を閉塞して容器外見が損われないよう設けたものであり、排水孔９は、外気吸入孔を兼用するもので、摺動底壁５が上昇して該摺動底板と底蓋７との間の間隙が拡大することによる負圧化を、排水孔からの外気流入により解消し、又浴場等水滴付着床面への載置状態での容器使用の際に、上記負圧化により排水孔から胴下部内へ吸込みした液体を、中心が下降するテーパ状とした底板中心の排水孔から流出させるものである。
【００１１】
１１は容器体口頸部３の外面へ、頂壁１２外周から垂下する周壁１３を嵌合させたキャップで、その頂壁後部を隆起部１４とすると共に該隆起部の後部から内筒１５を起立する。該内筒上部は上向き段部を介して大内径部１６とし、かつ内筒下部内には玉弁１７による吸込み弁１８を設け、更に上記上向き段部やや下方および両弁の中間部には適当数の透孔１９を穿設している。
【００１２】
上記吸込み弁１８上方の大内径部１６内へは、弁体２０を嵌合させて吐出弁２１を形成する。弁体２０は棒部２２上端に外向きフランジ状の弁板２３を有し、又棒部上端面から複数の弾性片２４を起立して、これ等弾性片上端を水平に設けた押えリング２５下面へ付設して形成している。弁板２３は内筒上部の大内径部１６内径よりやや小内径とし、該弁板を上記上向き段部上へ載置し、このとき棒部２２下端は玉弁１７のやや上方に位置して該玉弁の盲動を防止可能に設け、又押えリング２５上面は内筒の大内径部１６上端から僅かに突出するよう設けている。
【００１３】
上記内筒１５外面へは外筒３１を嵌合させている。該外筒は上記隆起部１４上面へ凹凸の係合手段により抜出し不能に嵌合させた帽状部３２を下端に付設し、又上端部を内向きフランジ３３を介して小径部３４としている。上記内向きフランジ３３下面が形成する下向き段部へは内筒１５の上端面と、弁体２０の押えリング２５上面とを共に係合させ、既述大内径部１６下端の上向き段部と弁板２３とで吐出弁２１を形成させる。更に外筒３１の中間部からは、上記透孔１９と連通させてシリンダ３５を前方へ突出している。図２が示すように、シリンダ外径は外筒３１外径よりも大きく形成してもよく、この場合は外筒の左右側面から外方へ張出すシリンダ部分３５ａ  ，３５ａ  後面は密閉する。図示例ではシリンダ３５が囲む外筒３１前壁部分の中央部から下方の透孔１９と連通させて、かつシリンダ３５と同軸にガイド管３６を前方突出している。３７は、後述筒状ピストンをシリンダ３５内へ嵌合させた後、該筒状ピストンの外方抜出しを防止するためにシリンダ前端部に嵌合させた内外二重筒状の二重環で、その内筒の後端面で筒状ピストンの抜出しを防止している。
【００１４】
４１は作動部材で、上記シリンダ３５内に嵌合させた筒状ピストン４２内周部から、前端面閉塞の脚筒４３をシリンダ前方へ突出する。脚筒４３は筒状ピストン４２をシリンダ３５の後端部内まで押込み可能とするもので、既述ガイド管３６外面へ遊嵌させ、作動部材４１がシリンダ３５の軸線に対して傾くことなく摺動できるよう設けている。該脚筒の前端面を閉塞する前壁の中心部後面からは、係合子４４を後方突出しており、ガイド管３６内へ後部を遊挿させ、かつガイド管３６後端が囲む外筒前壁部分前面へ後端面を係合させたコイルスプリング４５前部を上記係合子４４外面へ嵌合させ、かつコイルスプリング前端面を上記ガイド管の前壁後面へ係合させることで作動部材４１を前方へ付勢している。作動部材４１の前端部には図示のように前面を押圧用平面部とするキャップ状部材４６を嵌合させている。該キャップ状部材前面は、キャップ周壁１３の前面の上方に位置させている。
【００１５】
図示例においては内筒１５と外筒３１とでノズル筒３９を形成したが、該ノズル筒３９は必ずしもこのように形成しなくともよく、又吸込み弁１８および吐出弁２１も公知の他の弁で形成することが出来る。
【００１６】
５１はノズル筒３９付きのキャップ１１外面へ嵌合させたカバー筒で、該カバー筒５１の頂壁５２に穿設した透孔からノズル筒３９の上端部を上方へ、又カバー筒５１の前壁５３に穿設した大径の透孔から作動部材４１の前部を前方へ、それぞれ突出させている。そのためカバー筒５１の前壁５３は、図示のようにキャップ周壁への嵌合部分上方から後方入込み部５４を介して起立するとよい。
６１はノズル筒３９上端に嵌合させた口キャップである。
【００１７】
上記構成において、口キャップ６１を外し、作動部材４１の前面を後方へ押込みすると、シリンダ３５等の内部高圧化で吐出弁２１が開き、該シリンダ等内部の液体がノズル筒３９上端から注出され、又作動部材４１を離すと、吐出弁２１は閉じ、吸込み弁１８が開いて容器体内液体をシリンダ等の内部へ吸込み、又容器体内液体減少で摺動底壁５が上昇してその負圧化を解消する。
【００１８】
上記摺動底壁５は、吸込み弁１８への容器体内液体移送手段を形成するが、該移送手段は図３が示すように、吸込み弁１８から吸上げパイプ７１を垂下させて形成してもよい。この場合は、液体減少による容器体内負圧化防止のため、容器体口頸部３の上部に外気吸入孔７２を穿設し、又口頸部３上端面と、キャップ頂壁１２外周部との間に、パッキング兼用として挟持させたフランジ７３内周から弾性筒７４を垂下し、その弾性筒一部で上記外気吸入孔７２内面を閉塞させて外気吸入弁７５とすることが出来る。
【００１９】
既述各部材のうち、コイルスプリング４５を除き、それぞれ合成樹脂材で形成している。玉弁１７は金属ないしセラミック製でもよく、コイルスプリングは金属製とする。又キャップ状部材４６は、その押込みの際に弾性変形しないよう硬質の合成樹脂製とすることが望ましい。
【００２０】
【発明の効果】
本発明は既述構成とするもので、請求項１記載の容器は、容器体口頸部に嵌合させたキャップ頂壁１２の一部を開口して、吸込み弁、および吐出弁付きのノズル筒３９を起立し、かつそれ等両弁中間のノズル筒部分からは、該ノズル筒部分内と連通させてシリンダ３５を前方突出し、該シリンダ内から作動部材４１を前方付勢させて突出させたから、その作動部材を後方へ押込むことで、シリンダ等内部の液体をノズル筒３９上端から上方へ注出することが出来、よって例えば天井等壁面への液体吹付けを、従来のように容器体を傾けることなく、容易に行うことが出来る。又上記ノズル筒３９からシリンダ３５を前方突出し、該シリンダ内から、前方付勢させて作動部材４１を前方突出させたから、ポンプ部の構造を確実かつ簡易とすることが出来る。
【００２１】
請求項２記載の容器は、上記請求項１記載容器の効果を有するほか、ノズル筒３９を、キャップ頂壁から起立する内筒３８とシリンダ付きの外筒３１とで形成し、吸込み弁１８は内筒３８下部に設けた玉弁１７で、吐出弁２１は、その弁体２０を、棒部２２上端へ外向きフランジ状の弁板２３を付設すると共に、棒部上端面から複数の弾性片２４を起立してこれ等弾性片上端を水平な押えリング２５下面へ付設して形成し、上記弁板２３を内筒上部内面の内向き段部上面へ、又内筒上端と押えリング２５とを外筒３１上端面の下向き段部下面へ、それぞれ係合させて、上記上向き段部と弁板２３とで形成したから、ノズル筒３９および吸込み弁１８、吐出弁２１の形成が容易である。
【００２２】
請求項３記載の容器は、請求項１又は２記載の容器の効果を有するほか、シリンダ３５後端が囲むノズル筒前壁部分の中央部から、ノズル筒中間部と連通させて、かつシリンダと同軸にガイド管３６を前方突出し、作動部材４１後端の筒状ピストン４２はガイド管３６とシリンダ３５間に、又脚筒４３はガイド管３６外面へ、それぞれ摺動可能に嵌合させたから、作動部材４１はその前後方向への摺動に際して、ガイド管３６外面への脚筒４３嵌合によりシリンダ３５に対して傾くことがなく、その摺動をスムーズに行うことが出来る。
【００２３】
請求項４記載の容器は、請求項１、２又は３記載容器の効果を有するほか、更にノズル筒３９をキャップ頂壁１２の後部から起立すると共に、シリンダ付きキャップ１１の外面へカバー筒５１を、該カバー筒の頂壁５２からノズル筒３９上端部を上方へ、又カバー筒前壁５３から作動部材４１の前部を前方へ、それぞれ突出して形成したから、容器外見を向上できると共に、作動部材４１の前部を後方押込みして行うポンプ操作の際に、そのカバー筒５１を持って行うことが出来てその操作が容易である。
【図面の簡単な説明】
【図１】本発明容器の縦断面図である。
【図２】その容器の平面図である。
【図３】異なる実施形態で示す、容器の縦断面図である。
【符号の説明】
１１…キャップ      １５…内筒          １８…吸込み弁
２１…吐出弁        ３１…外筒          ３５…シリンダ
３９…ノズル筒      ４１…作動部材      ５１…カバー筒
【図１】
0003556373.tif 000002
【図２】
0003556373.tif 000003
【図３】
0003556373.tif 000004